(57)【特許請求の範囲】
【請求項１】
略直方体形状のケース体（１）の対向する側面の対角線（ｄ）沿いに二分割された半ケース体（２、３）をその開口部で重ね合わせたものとし、
前記ケース体（１）の外面にはソーラーパネル（４）が設けられ、
前記半ケース体（２、３）の一方の角部（２ａ、３ａ）には、半ケース体（２、３）を閉鎖状態に係止させておく係止ピン（５）が設けられ、他方の角部（２ｂ、３ｂ）には、半ケース体（２、３）を軸支させておく支軸（６）が設けられると共に、半ケース体（２、３）を反発させて開放状態にするトーションスプリング（７）が設けられ、
前記ソーラーパネル（４）で発電された電力により作動する電磁石（８）の磁力で前記係止ピン（５）を引き付けて、前記半ケース体（２、３）の係止を解除するようにしており、
前記ケース体（１）の内部には、遺骨を収納し、宇宙で自然に開放して、その遺骨を宇宙に散布可能とした多数個の遺骨入れ（９）が収納されていることを特徴とする宇宙葬用散骨装置。
【請求項２】
前記トーションスプリング（７）のコイル部（７ａ）に、前記半ケース体（２、３）の支軸（６）を貫通させ、前記トーションスプリング（７）の両アーム部（７ｂ）を前記半ケース体（２、３）の他方の角部（２ｂ、３ｂ）に係止させたことを特徴とする請求項１記載の宇宙葬用散骨装置。
【請求項３】
前記係止ピン（５）を半ケース体（２、３）の対向する側面に設けられた止孔（１５ａ、１５ｂ）に差し込まれたものとし、前記係止ピン（５）を引き付けるだけの磁力が作用するように、前記電磁石（８）を半ケース体（２、３）の一方の角部（２ａ、３ａ）のいずれか一方に設けたことを特徴とする請求項１または２記載の宇宙葬用散骨装置。
【請求項４】
前記ケース体（１）内部に、長方形状の復元力を有する板状体（１０）を湾曲させて収納し、この板状体（１０）の一端を前記半ケース体（２、３）の一方の開放端に止着し、前記板状体（７）の他端を前記半ケース体（２、３）の他方の開放端に止着したことを特徴とする請求項１から３のいずれかに記載の宇宙葬用散骨装置。
【発明の詳細な説明】
【技術分野】
【０００１】
本発明は、宇宙葬を望む人の遺骨を収納して宇宙に移送し、その遺骨を宇宙空間において散布するための宇宙葬用散骨装置に関するものである。
【背景技術】
【０００２】
従来、宇宙葬事業者が、宇宙葬を望む会員や遺族に、遺骨や遺品等の収納可能な容器を送り届け、遺骨や遺品等を収納してもらった容器を回収し、ロケットで宇宙空間へ打ち上げ移送する宇宙葬システムが存在する（特許文献１）。
【０００３】
前記宇宙葬システムに使用される容器としては、ＦＲＰ等のプラスチック素材や金属からなる耐圧カプセルとして、遺骨や遺品等が長期間にわたって容器内で良好な保存状態を保ったまま宇宙を漂うようにすることができるとしている。
【０００４】
上記従来の宇宙葬システムに使用される遺骨や遺品等を収納した容器は、長期間にわたって容器内で良好な保存状態を保ったまま宇宙を漂うようにすることができるとしているが、宇宙葬を望む会員や遺族の中には、遺骨や遺品等が、容器内入ったままの状態で宇宙を漂うようのではなく、容器から散布された状態で宇宙を漂うようにしたいという要望があった。
【０００５】
そこで、本発明者は、このような宇宙葬用散骨装置として、図５に示したように、略直方体形状のケース体２１に両開きの扉２２を設けると共に、このケース体２１の外面にソーラーパネル２３を設け、さらに前記両開きの扉２２が開放しないようにケース体２１の周囲を包囲しておく細帯体２４を設け、前記ソーラーパネル２３で発電された電気により作動する切断手段２５によって、前記細帯体２４を切断することによって、前記両開きの扉２２が宇宙で開放するようにしており、前記ケース体２１の内部には、遺骨を収納し、宇宙で自然に開放して、その収納した遺骨を宇宙に散布可能とした多数個の遺骨入れ２６を収納したものを、先に案出している（特許文献２）。
【先行技術文献】
【特許文献】
【０００６】
【特許文献１】特開平５ー１１５５１６号公報
【特許文献２】実用新案登録第３１６２１９７号公報
【発明の概要】
【発明が解決しようとする課題】
【０００７】
しかしながら、本発明者が先に案出した宇宙葬用散骨装置では、ケース体２１に設けた両開きの扉２２が正面と背面の全体に設けられ、開口面積を広くしているが、ケース体２１の内部に収納した遺骨入れ２６を効率よく放出するには、さらに開口面積を広くするための工夫が要望されていた。
【０００８】
さらに、本発明者が先に案出した宇宙葬用散骨装置では、ケース体２１に設けた両開きの扉２２が、細帯体２４を切断することによって、自然に開放するようにしているだけであるので、ケース体２１の内部に収納した遺骨入れ２６は、このケース体２１から積極的には放出されず、ケース体２１の内部に滞留したままの状態になるという問題点を有していた。
【０００９】
そこで、本発明は、上記従来の要望を満たすと共に従来の問題点を解決するものであり、ケース体の開口面積をより広くすると共に、ケース体を積極的に開放するようにして、ケース体の内部に収納した遺骨入れを効率よく放出できるようにし、さらにケース体の内部に収納した遺骨入れを押し出すようにして、遺骨入れがケース体の内部に滞留したままの状態になることのない宇宙葬用散骨装置を提供することを目的としてなされたものである。
【課題を解決するための手段】
【００１０】
本発明の宇宙葬用散骨装置は、略直方体形状のケース体１の対向する側面の対角線ｄ沿いに二分割して開口した半ケース体２、３をその開口部で重ね合わせたものとし、前記ケース体１の外面にはソーラーパネル４が設けられ、前記半ケース体２、３の一方の角部２ａ、３ａには、半ケース体２、３を閉鎖状態に係止させておく係止ピン５が設けられ、他方の角部２ｂ、３ｂには、半ケース体２、３を軸支させておく支軸６が設けられると共に、半ケース体２、３を反発させて開放状態にするトーションスプリング７が設けられ、前記ソーラーパネル４で発電された電力により作動する電磁石８の磁力で前記係止ピン５を引き付けて、前記半ケース体２、３の係止を解除するようにしており、前記ケース体１の内部には、遺骨を収納し、宇宙で自然に開放して、その遺骨を宇宙に散布可能とした多数個の遺骨入れ９が収納されている。
【００１１】
そして、本発明の宇宙葬用散骨装置は、前記トーションスプリング７のコイル部７ａに、前記半ケース体２、３の支軸６を貫通させ、前記トーションスプリング７の両アーム部７ｂを前記半ケース体２、３の他方の角部２ｂ、３ｂに係止させたものとしている。
【００１２】
さらに、本発明の宇宙葬用散骨装置は、前記係止ピン５を半ケース体２、３の対向する側面に設けられた止孔１５ａ、１５ｂに差し込まれたものとし、前記係止ピン５を引き付けるだけの磁力が作用するように、前記電磁石８を半ケース体２、３の一方の角部２ａ、３ａのいずれか一方に設けたものとしている。
【００１３】
また、本発明の宇宙葬用散骨装置は、前記ケース体１内部に、長方形状の復元力を有する板状体１０を湾曲させて収納し、この板状体１０の一端を前記半ケース体２、３の一方の開放端に止着し、前記板状体７の他端を前記半ケース体２、３の他方の開放端に止着したものとしている。
【発明の効果】
【００１４】
本発明の宇宙葬用散骨装置は、以上に述べたように構成されているので、ケース体の開口面積をより広くすることができ、ケース体の内部に収納した遺骨入れを効率よく放出することができるものとなった。
【００１５】
さらに、本発明の宇宙葬用散骨装置は、ケース体を積極的に開放するようにしたので、ケース体の内部に収納した遺骨入れを効率よく放出することができるものとなった。
【００１６】
また、本発明の宇宙葬用散骨装置は、ケース体の内部に収納した遺骨入れを押し出すようにしたので、遺骨入れがケース体の内部に滞留したままの状態になることのないものとなった。
【図面の簡単な説明】
【００１７】
【図１】本発明の宇宙葬用散骨装置のケース体の閉鎖状態を示す斜視図である。
【図２】本発明の宇宙葬用散骨装置のケース体の開放状態を示す斜視図である。
【図３】本発明の宇宙葬用散骨装置のケース体に設けられる係止ピンの内外支持体への係止状態の一例を示す説明図である。
【図４】本発明の宇宙葬用散骨装置のケース体に設けられる係止ピンの内外支持体への係止状態の他の例を示す説明図である。
【図５】従来の宇宙葬用散骨装置のケース体の閉鎖状態を示す斜視図である。
【発明を実施するための形態】
【００１８】
以下、本発明を実施するための形態を、図面に基づいて詳細に説明する。
【００１９】
本発明の宇宙葬用散骨装置は、略直方体形状のケース体１の対向する側面の対角線ｄ沿いに二分割して開口した半ケース体２、３をその開口部で重ね合わせたものとしている。なお、前記ケース体１は、略直方体形状としているが、ここでいう略直方体形状には略立方体形状も含むものとする。
【００２０】
前記ケース体１の外面には、ソーラーパネル４が設けられている。このソーラーパネル４は、図示したようにケース体１の上面および正面の二面全体に設けたものとしているが、ケース体１の上面または正面の一面全体に設けたものとしても、これらの面の一部に設けたものとしても、ケース体１の他の一面または複数の面の全体または一部に設けたものとしてもよい。そして、前記ソーラーパネル４で発電された電力は、ケース体１の内面に沿って配線された電線（図示せず）を伝わって、後に述べる電磁石８に送電されるようにしている。
【００２１】
前記半ケース体２、３の一方の角部２ａ、３ａには、半ケース体２、３を閉鎖状態に係止させておく係止ピン５が設けられている。この係止ピン５は、金属などの磁着可能な材料からなり、頭部５ａと軸部５ｂを有しており、半ケース体２、３の一方の角部２ａ、３ａのいずれか一方に設けられた内外支持体１１、１２に、その軸部５ｂを摺動自在にして支持されており、Ｖ字状スプリング１３の一端を内支持体１１の手前に形成した係止穴１４に係止させ、Ｖ字状スプリング１３の他端を外支持体１２に押し当てることにより、外方向に押圧された状態で、半ケース体２、３の対向する側面に設けられた止孔１５ａ、１５ｂにその軸部５ｂが差し込まれたものとしている。なお、前記Ｖ字状スプリング１３の一端を内支持体１１に押し当て、Ｖ字状スプリング１３の他端を外支持体１２の手前に形成した係止穴１４に係止させたものとしてもよく、さらに前記Ｖ字状スプリング１３に代えてコイルスプリング１６を用いることもできる（図４参照）。また、前記止孔１５ａ、１５ｂの一方は、前記側面に形成されたフランジ１７に設けられたものとしている（図示したものは、前記止孔１５ｂが、前記側面に形成されたフランジ１７に設けられたものとしている）。
【００２２】
さらに、前記半ケース体２、３の一方の角部２ａ、３ａのいずれか一方には、前記係止ピン５を引き付けるだけの磁力が作用するように、電磁石８を設けたものとしている。この電磁石８は、前記ソーラーパネル４で発電された電力により磁力が発生し、その磁力で前記係止ピン５を引き付けて、前記半ケース体２、３の係止を解除するようにしている。なお、前記電磁石８は、図示したものでは、二個にしているが、一個にしてもよい。
【００２３】
前記半ケース体２、３の他方の角部２ｂ、３ｂには、半ケース体２、３を軸支させておく支軸６が設けられると共に、半ケース体２、３を反発させて開放状態にするトーションスプリング７が設けられている。このトーションスプリング７は、コイル部７ａに前記半ケース体２、３の支軸６を貫通させ、両アーム部７ｂの一方を前記半ケース体２、３の他方の角部２ｂ、３ｂの一方に、両アーム部７ｂの他方を前記半ケース体２、３の他方の角部２ｂ、３ｂの他方に係止させたものとしている。なお、前記トーションスプリング７は、図示したような二個のトーションスプリングを連結部７ｃで連結したダブルトーションスプリングとしているが、シングルのトーションスプリングを複数個、用いたものとしてもよい。
【００２４】
また、前記ケース体１の内部には、多数個の遺骨入れ９が収納されている。この遺骨入れ９は、直方体、円柱、角柱、円錐、角錐、円錐台、角錐台、太鼓形などの各種の形状とすることができる。前記遺骨入れ９には、遺骨の他に、遺品、故人からのメッセージ等を収納することもできる。そして、前記遺骨入れ９は、容易に開放可能な蓋付きケースなどとして、宇宙で自然に開放して、収納した遺骨を宇宙に散布可能としている。
【００２５】
さらに、前記ケース体１内部には、長方形状の復元力を有する板状体１０を湾曲させて収納し、この板状体１０の一端を前記半ケース体２、３の一方の開放端に止着し、前記板状体７の他端を前記半ケース体２、３の他方の開放端に止着したものとしている。前記板状体１０としては、図示したものでは、弾性繊維や弾性線材からなる弾性網としているが、合成樹脂板などの復元力を有するものであればよい。なお、前記板状体１０をケース体１内部に収納した場合には、前記遺骨入れ９は、この板状体１０の内側に収納される。
【００２６】
なお、前記ケース体１内部には、ソーラーパネル４で発電された電力により作動するカメラ（図示せず）を備えたものとすることができる。このカメラは、ケース体１内部の様子や、半ケース体２、３が開放状態になった瞬間の様子などを撮影して、その撮影データを地球に送信するようにしている。
【００２７】
以上のように構成された本発明の宇宙葬用散骨装置は、宇宙葬事業者などが、宇宙葬を望む会員や遺族に、遺骨入れ９を送り届け、遺骨や遺品等を収納してもらってから遺骨入れ９を送り返してもらい、その送り返してもらった遺骨入れ９を、図２に示したように、ケース体１が開放された状態で、板状体１０の上に載せ、図１に示したように、ケース体１が閉鎖された状態にすれば、前記遺骨入れ９はケース体１の内部に収納される。そして、前記ケース体１内部に前記遺骨入れ９が収納された本発明の宇宙葬用散骨装置を、月面探査用や火星探査用のロケット等で宇宙空間へ打ち上げ、宇宙空間で、これらのロケット等から放出する。
【００２８】
すると、本発明の宇宙葬用散骨装置のソーラーパネル４が、宇宙空間で太陽光を受光し、このソーラーパネル４で発電された電力により、前記電磁石８に磁力が発生し、その磁力で前記係止ピン５が引き付けられ、前記半ケース体２、３の係止が解除される。
【００２９】
前記半ケース体２、３の係止が解除されると、前記トーションスプリング７の反発力で半ケース体２、３が、図２に示したように、開放状態となる。したがって、前記半ケース体２、３が自然に開放する場合に比べて、ケース体１の内部に収納した遺骨入れ９は、このケース体１から積極的には放出されることになり、ケース体１の内部に滞留したままの状態になるということはない。そして、この開放状態における前記半ケース体２、３の開口面積は、前記ケース体１の正面や背面の全体が開口した場合の開口面積より広くなるので、ケース体１の内部に収納した遺骨入れ９を効率よく放出することができる。
【００３０】
さらに、前記半ケース体２、３が、開放状態となると、前記ケース体１内部に収納した板状体１０が湾曲した状態から元に戻ろうとするので、ケース体１の内部に収納した遺骨入れ９がこの板状体１０に押し出され、遺骨入れ９がケース体１の内部に滞留したままの状態になるということはない。
【符号の説明】
【００３１】
１  ケース体
２  半ケース体
２ａ  角部
２ｂ  角部
３  半ケース体
３ａ  角部
３ｂ  角部
４  ソーラーパネル
５  係止ピン
６  支軸
７  トーションスプリング
７ａ  コイル部
７ｂ  アーム部
８  電磁石
９  遺骨入れ
１０  板状体
１５ａ  止孔
１５ｂ  止孔
【図１】
0005387995.tif 000002
【図２】
0005387995.tif 000003
【図３】
0005387995.tif 000004
【図４】
0005387995.tif 000005
【図５】
0005387995.tif 000006